(57)【要約】【課題】一定の着用形状に形成されたネクタイに、上下にスライド及び任意の高さ位置に静止又は固定保持自在にするネクタイ吊り具を設けると、ネクタイを首に巻くことなくシャツの襟下に取り付け取り外しを簡単にするネクタイを得ることを可能とする。【解決手段】シャツ５０の襟首上端５２に掛け止めされた一定の縦長さを有するネクタイ吊り具１１には、スライド及び静止保持自在になる一定のスライド抵抗を持せる軸受け３１が取り付けられ、その軸受け３１は、一定のデザインに成形されたネクタイ１０の内側に固着して取り付けられている。そして、ネクタイ吊り具１１上端を指で押え、襟元よりやや下方の位置にセットされているネクタイ１０上部の横端を指で挟みながら押し上げ襟５１下に挿入して取り付ける。そして、取り外しはネクタイ１０を引き下げ襟５１から引き出して行う。【選択図】    図１
2007070794.tif 000002
【特許請求の範囲】
【請求項１】
衣服の内シャツなどに取り付けるネクタイにおいて、一定の幅と一定の長さを有するネクタイ本体と、同ネクタイ本体の上部内側に取付けられる、内部にネクタイ位置調整軸挿通孔を上下方向に貫通状態に設けたネクタイ位置調整軸支持体と、前記ネクタイ位置調整軸挿通孔内に上下方向に摺動自在に挿入される、上端に衣服の襟首部に着脱自在に係止されるフックを設けた一定の縦長さを有するネクタイ位置調整軸を、前記ネクタイ位置調整軸支持体内に組み込み、前記ネクタイ位置調整軸に対する前記ネクタイ位置調整軸支持体の相対位置を可変とするときに、可変後の相対位置でネクタイ位置調整軸支持体を固定可能とするネクタイ高さ位置調整手段を具備する高さ調整ネクタイ構造。（図1、図２、図６、図７、図８、図９参照）
【請求項２】
前記ネクタイ高さ位置調整手段は、ネクタイ位置調整軸の一部に係合片を形成すると共に、前記ネクタイ位置調整軸挿通孔の内部に前記係合片と係合する被係合部を設けたことを特徴とする請求項１に記載の高さ調整ネクタイ構造。（図３、図４、図５参照）
【請求項３】
前記ネクタイ位置調整軸に設けられる係合片は、ネクタイ位置調整軸の下端に連設し、同ネクタイ位置調整軸に対し任意の広がり角度で上方に向って伸延する一定の縦長さを有する細長の弾性体からなり、前記係合片は前記縦長の広がり角度内で連設部を支点とする片持ちばね構造で、その縦長の上向き先端部を被係合部と係合する係合部とし、前記ネクタイ位置調整軸挿通孔内の前記係合片の縦長さ間の側面の一端は、該挿通孔の側壁面の介接部に常時圧接状態となる構成になったことを特徴とする請求項１乃至２に記載の高さ調整ネクタイ構造。（図３、図８、図１１、図１２参照）
【請求項４】
前記ネクタイ位置調整軸挿通孔内に設けられる被係合部は、ネクタイ位置調整軸挿通孔を形成する一定の高さ間内で、同挿通孔の上方側の一定の高さ間の小さな挿通孔の大きさと、下方側の一定の高さ間の大きな挿通孔の大きさからなり、その大きさの異なる各挿通孔の境目となる一定の高さの穴側壁の一端に、挿通孔の大きさの差からなる下向きの段差面を形成し、その段差面を有する形状で前記被係合部がなったことを特徴とする請求項１乃至２に記載の高さ調整ネクタイ構造。（図４、図５、図８参照）
【請求項５】
前記ネクタイ位置調整軸支持体が取付けられた上端にフックを有するネクタイ位置調整軸で、同ネクタイ位置調整軸のネクタイ位置調整軸支持体とフック間の一定の高さ位置には、ネクタイ位置調整軸支持体の上端の一部に係合するストッパ−が設けられ、同ストッパ−の係合部の形状は、ネクタイ位置調整軸支持体に設けられるネクタイ位置調整軸挿通孔の
内径の外幅より大きい外幅を有する形状となったことを特徴とする請求項１に記載の高さ調整ネクタイ構造。（図３、図４、図５、図１２参照）
【発明の詳細な説明】
【技術分野】
【０００１】
本発明は、ネクタイを一定の着用形状に成形し、そのネクタイを上下にスライド及び任意の高さ位置又は一定の位置に静止保持する構成で、衣服に取り付け取り外しが容易な高さ調整ネクタイ構造に関するものである。
【背景技術】
【０００２】
Ｙシャツなどの衣服に着用するネクタイはシャツなどの襟下の首廻りに巻き、そのネクタイを強く巻き結びして首廻りを締付ける様に取り付ける。
【０００３】
よって、襟下内にしっかりと挿入し結び部の形を整え、一定の強い締付けで結び部の型くずれを防ぎ、ネクタイのゆるみによるネクタイのずれ下りを抑える取り付けが必要である。したがって、締付け時や取り外し時にネクタイの生地に強い摩擦が生じネクタイを傷める原因となる欠点があった。
【０００４】
また、ネクタイ上部結び部の形状を一定の見栄のする形に整えるのが困難であり、更にネクタイの長さを一定の長さに調整するむつかしさがあった。
【０００５】
したがって、ネクタイ着脱作業に一定の面倒しさが伴い一度ネクタイを締めると一時的な不要時に取り外すのがためらわれる問題点があった。
【０００６】
この面倒なネクタイの結び作業やそれによるネクタイの傷みの改善策として、ネクタイに紐が設けられたものにあっては、紐部を襟下に挿入及び取り出す時に一定の面倒しさが伴うものであった。また、シャツとネクタイにマジックテ−プ（登録商標）が設けられたものにあっては、シャツにマジックテ−プ（登録商標）を取付けなければならない問題点と、一定の強い接続保持力を得るのが困難なものであった。特に襟元の型くずれを防ぐために襟にボタンの設けられた襟構造では襟下に紐やマジックテ−プ（登録商標）部を挿入するのが非常に面倒である。
【０００７】
また、ネクタイ上部に固着してフックが設けられたものにあっては、衣服にフック掛けする場合、フックが見えづらくフック掛けが困難となる。しかも図１で示すように襟下にネクタイの結び部の一部を挿入するのがむつかしく、また、取り外し時においても襟下から外すのが非常に困難であった。
【特許文献１】特開昭５３−０１４０５５
【発明の開示】
【発明が解決しようとする課題】
【０００８】
解決しようとする問題点は、首廻りに巻き付けることなく結び部の一定した形の形成とネクタイの傷みを抑え、かつ、ネクタイの取り付け取り外しが容易にできにくい点である。
【０００９】
本発明は、着用時にネクタイを首廻りに巻き付け及びネクタイ結びをすることなく、ネクタイ上端を襟下に出し入れ容易にし、かつ該ネクタイを一定の着用高さ位置に確実に保持する構成で、ネクタイの着脱が簡単にできるものとすることを提供するのを目的としている。（図１、図２参照）
【課題を解決するための手段】
【００１０】
前記目的を達成するために本発明の高さ調整ネクタイ構造では、一定の着用縦長さに成形されたネクタイ本体と、同ネクタイ本体の上部内側にネクタイ上部の一定のデザインの形成を兼ねた取り付けで、ネクタイ位置調整軸挿通孔（軸穴）を上下方向に貫通して設けた、ネクタイ位置調整軸支持体（軸受け）を具備している。（図４、図５、図６参照）
【００１１】
そして、上端に衣服の襟首部に着脱自在に係止されるフックを設けた一定の縦長さを有する丸棒又は平板帯状などからなるネクタイ位置調整軸（縦軸）と、その縦軸の下端に連設して上方に向って一定の縦長さで伸延する弾性体からなる細長い片持ちばね構造の係合片（ばね軸）構成からなるネクタイ吊り具を形成する。そのネクタイ吊り具の縦軸とばね軸を前記ネクタイに取付けられた軸受けの軸穴内に上下方向に摺動自在に挿入組み込むと、軸穴内の縦軸とばね軸の一端は軸穴の一部側壁に常時圧接状態にばね作用が働く取付けとなっている。（図３、図６、図８参照）
【００１２】
すると、前記縦軸に対する前記軸受けの相対位置を可変（スライド移動）とするときに、スライド時に縦軸及びばね軸と軸穴の側壁面との介接部に一定の摩擦抵抗が生じ、スライド時の相対位置で任意の高さ位置に摩擦抵抗の大きさで静止保持可能とする。
（図８、図１１、図１２参照）
【００１３】
前記軸受けの軸穴内に前記ばね軸の係合部となるばね軸の上向き先端に係合する被係合部を設けると、縦軸に対する軸受けの上下のスライドにおいて、ばね軸先端が被係合部に係合（ロック）されると、縦軸の一定の高さ位置に軸受けを固定可能とする。なお、前記被係合部の形状は、軸穴の平面形状を縦軸とばね軸の向かい合わせ方向の大きな横幅と、その向かい合わせ方向と直角方向の小さな横幅からなる長穴形状とし、前記軸受け本体の一定の縦高さにおいて、軸受け上方側の長穴の長手方向の横幅に対し、軸受け下方側の長手方向の横幅を大きなものとすると、軸穴内の一定の高さ位置に横幅の大きさの差による段差面を下向きに形成してなっている。また、前記段差による被係合部を上下方向に一定の高さ間隔で複数設けると、縦軸に対し、軸受けの高さを複数の異なる高さ位置に調整しながら一定の高さに固定可能とする。（図３、図４、図５、図８、図９参照）
【００１４】
また、ネクタイ吊り具の縦軸の上端よりやや下方の一定の高さ位置には、軸受けの上昇時に軸受けの上端の一部に介接して軸受けの上昇を一定の高さに制御するための、軸穴外形の大きさの内、少なくとも一部分の軸穴内径より大きい外幅を有するストッパ−が設けられている。（図３、図１２参照）
【００１５】
また、ネクタイ吊り具に軸受けの挿入組み込みとばね軸のばねの働きを容易にするために、縦軸とばね軸の連設部は折り曲げて連設し、その折り曲げ横幅は、軸穴の長手方向の横幅より小さい横幅にしている。（図３、図４、図６参照）
【発明の効果】
【００１６】
本発明は、ネクタイを上下にスライド及び任意の位置又は一定位置に静止保持又は固定保持するネクタイ高さ位置調整手段となる軸受けと縦軸の上端にフックと下端にばね軸を設けたネクタイ吊り具をネクタイに設けたため、図１で示す様にネクタイ吊り具のやや下方にネクタイを一定の保持力で静止保持すると、フックが見えやすくシャツなどの襟首上端へのフック掛けが容易となる。更に、ネクタイ上部は襟下に挿入しやすく見栄えのする逆三角形の一定の形状にデザインされているため、ネクタイをスライドさせながら押し上げ襟下に容易に挿入できるものとなる。そして、襟下の最良と思われる高さ位置にずれ下りを防ぐ構成で自動的にロック（固定）されるという大きな利点がある。以下各構造による効果を説明する。
【００１７】
軸穴内のばね軸は一定の縦長い長さで下端の折り曲げ部を支点に一定の強さで外に広がろうとするばね作用が働く構成であるため、ネクタイ吊り具の縦軸とばね軸は軸穴壁面に常時圧接状態となり、襟首上端に掛け止めされたネクタイ吊り具に対し、ネクタイに固着して設けられた軸受けの上下のスライド時に一定のスライド抵抗が生れる。したがって任意の高さ位置にネクタイを静止保持しながら徐々に襟下に挿入する取り付け方ができるものとなる。
【００１８】
前記ネクタイを襟下に押し上げ挿入すると、軸穴内に設けられた段差面からなる被係合部が係合部となるばね軸の先端高さ位置まで上昇すると同時に、ばね軸先端部が外側（段差面側）に移動し自動的に被係合部となる段差面に掛け止め（ロック）されることとなる。また、高さの異なる被係合部を複数設けることによって、高さ調整の選択の幅が広がり最良と思われる高さ位置にネクタイをしっかりと固定保持するものとなる。
【００１９】
そして、ネクタイを取り外す場合、図１０で示す様に軸受け下方の下部ガイド部高さ位置のばね軸一端を縦軸側に押し圧すると、ネクタイ吊り具下端部を支点にばね軸先端側が閉じられ被係合部から係合部であるばね軸先端部が外れロックが解除される。そして、図１１で示す様にネクタイを襟下から引き出しフックを見え易くしてネクタイを外すことができる。したがってネクタイの取付け取り外しを数秒の短時間で行うことができることとなる。また、ばね軸の長さは一定の長い長さである為、押し圧の位置が軸受けの下方のやや離れた位置であってもばね軸下方の支点から一定の長い間隔の押し圧位置の確保が容易となり、押し圧位置の一定の高さの変位内でやわらかい押し圧の強さでばね軸が作動しやすい様になっている。
【００２０】
また、図１２で示すネクタイ吊り具の縦軸の軸受け上方の一定位置にストッパーが具備されると、軸受けの上昇時にストッパーに軸受けが介接止めされ、ばね軸先端部が軸穴から下方に抜け出るのを防ぐものとなっている。そして、たとえば図１１で示す様に、ネクタイ吊り具下方にストッパ−を設けると、軸受け下降時に縦軸の軸受け下方に設けられたストッパーに軸受け下部一端が介接止めされ、ネクタイ吊り具から軸受けが抜け出るのを防ぐ効果を得ることもできる。そして、縦軸の縦長さに相対して軸受けの上下のストローク高さを一定のものとすることになる。
【００２１】
また、軸受け下方に縦軸の背側をガイドする形状の下部ガイド部を設けると、図１０で示すロック解除時に、ばね軸を縦軸側に押し圧容易となる効果を得るものとなる。
【発明を実施するための最良の形態】
【００２２】
襟廻りに巻き付けることなく、一定の着用形状にデザインされたネクタイを上下にスライド保持自在にし、襟下の最良の高さ位置に固定保持し、またその保持状態から取り外す操作を数秒という短時間できることを実現した。
【実施例１】
【００２３】
図１、図２の内図１は、本発明のネクタイの取り付けの操作例を示し、シャツ５０の襟首上端５２に掛け止めされたネクタイ吊り具１１の上端より下方の任意の高さ位置に、一定の着用形状に成形されたネクタイ１０が保持されている。そして、ネクタイ吊り具１１の上端を指で押えつつネクタイ上部の横端を挟む様に掴み、ネクタイ１０に固着して設けられている軸受け３１とネクタイ吊り具１１との間に一定の強さのスライド抵抗を有しながらネクタイ１０を押し上げネクタイ１０上部の一部を襟５１下に挿入している。そして、図２は図１のネクタイ吊り具１１上端がネクタイに隠れる程度の高さ位置にネクタイ１０をセットしている。
【実施例２】
【００２４】
図３で示すネクタイ吊り具１１は、一定の縦長さの細い棒状からなる縦軸１２と、その上部には縦軸１２に連設して任意の角度で下方に折り曲げてなるフック１３が設けられ、そのフック下方の任意の高さ位置には、縦軸１２の一部を変形幅１６の大きさで変形させたストッパー１５が形成されている。そして、縦軸１２の下端部を直立する縦軸１２に対しやや広がる任意の曲げ角度１７と下端横幅２１が一定の小さい横幅となる曲げの大きさで折り曲げ、上方に向って一定の縦長さで伸延するばね軸１４を有し、そのばね軸先端を上向きにして係合部２０を設けている。そして、少なくとも縦軸１２とばね軸１４の向い合せの曲げ角度の大きさ内でばね作用が働く構成となっている。
【実施例３】
【００２５】
図４は軸受け３1の縦断面図を示し、図５は図４のＸ１−Ｘ１線の断面を示している。そして、図４では、任意の高さと横幅及び厚みを持った軸受け３１の縦方向に貫通する軸穴３２が形成され、その軸穴３２の形状は上方の横方向に小さな軸穴横幅３３ａと、下方側に向って２段に大きくなる軸穴横幅３３ｂ及び軸穴横幅３３ｃと、図５で示す奥行き方向に一定した軸穴厚み幅３４を持った平面が長穴形状の穴から成り、その軸穴３２の長手方向の一方の穴壁３６ｂ側には、前記軸穴横幅の大きさの差からなる下向きの段差面の被係合部３５ａ、被係合部３５ｂが形成されている。そして、軸受け３１の背側となる段差面が設けられた穴壁の向い側の穴壁３６ａの下方には一定の縦長さの一部開放した軸穴横幅３３ｄと軸穴厚み幅３４を有する下部ガイド部３７が形成され、軸受け３１上部の背側と反対側の横端には軸受けの厚み幅を貫通する通し穴３８が設けられている。
【実施例４】
【００２６】
図６は、本発明のネクタイ高さ位置調整手段となる軸受け３１とネクタイ吊り具１１及び締付けピン３９をネクタイ１０にセットする軌跡を示す斜視図で、軸受け３１に設けられている軸穴３２にネクタイ吊り具１１の下方側よりばね軸１４を縦軸１２側に押し込みながら挿入し、一定の形状に成形されたネクタイ１０上部の一定位置にネクタイの横幅で包み込む様に軸受け３１を配置し、左右からネクタイと軸受け３１に設けられている通し穴３８に締付けピン３９を通して締付けピンの強い締付け保持力で取付ける。
【実施例５】
【００２７】
図７は、本発明の一実施のシャツの襟首上端５２に吊り下げ状態に取り付けたネクタイ上部の正面図を示し、図８は図７の横断面を示し、図９は図７の一部平面断面を示す。シャツの襟首上端５２に掛け止めされたネクタイ吊り具１１のネクタイ吊り具上端１８と襟５１下に挿入されたネクタイ上部のネクタイ上端２２が略同じ高さ位置にセットされた状態では、図８、図９で示す様に軸受け３１の軸穴３２に設けられている被係合部３５ａ、３５bの内、上方の被係合部３５aにばね軸１４の係合部２０となるばね軸先端が掛け止め（ロック）されてネクタイ１０の高さを固定している。そして、縦軸１２とばね軸１４の一端は軸穴３２の穴壁３６aと穴壁３６bに常時圧接状態となっている。また、縦軸１２の軸受け３１下方には、後述する図１１で示す軸受け３１の下端の一部に介接する上下にスライド自在又は一定位置に固着するストッパー４０が設けられている。
【実施例６】
【００２８】
図１０は、ネクタイ吊り具１１の縦軸１２とばね軸１４が向い合せとなる方向にネクタイ１０外側とばね軸１４の一部を一定の強さで指で挟みばね軸１４を縦軸１２側に押し圧し、軸受け３１の被係合部３５ａから係合部２０となるばね軸先端を外している。（ロックを解除する）
【実施例７】
【００２９】
図１１は、シャツ５０の襟首上端５２に掛け止めされたネクタイ吊り具１１の下方に下げ止めされるネクタイ１０は、縦軸１２に設けられているストッパー４０と軸受け３１の下部ガイド部３７下端の一部が介接して保持されている。
【実施例８】
【００３０】
図１２は、ネクタイ１０に設けられている軸受け３１の上部一端と、縦軸１２の一定の高さ位置に設けられている、軸受け３１の軸穴横幅３３aより大きい変形幅１６からなるストッパー１５が介接し、軸穴３２から、ばね軸１４の係合部２０となる、ばね軸先端部が抜け出ない構成になっている。
【産業上の利用可能性】
【００３１】
首廻りに巻き付けない為、ポロシャツなどの襟が立ってないものであっても取り付けることが可能となり、用途の拡大を図ることができる。また、片手で操作ができる為、手の不自由な人達にも利用しやすいものとなる。
【図面の簡単な説明】
【００３２】
【図１】ネクタイをシャツに取り付ける操作の実施例を示す正面図である。
【図２】シャツにネクタイを取り付けた正面図である。
【図３】直立するネクタイ吊り具の横面図である。
【図４】直立する軸受けの横断面図である。
【図５】図４のＸ１―Ｘ１線による矢視図である。
【図６】ネクタイ高さ位置調整手段を形成する組み込みの軌跡を示すネクタイ上部の斜視図である。
【図７】図２の要部拡大図である。
【図８】図７のＸ２−Ｘ２線による矢視図である。
【図９】図７のＸ３―Ｘ３線による矢視図である。
【図１０】図８の操作の実施例を示す図である。
【図１１】図８の変形の実施例を示す図である。
【図１２】図１１の変形の実施例を示す図である。
【符号の説明】
【００３３】
１０：ネクタイ
１１：ネクタイ吊り具
１２：縦軸（ネクタイ位置調整軸）
１３：フック
１４：ばね軸（係合片）
１５：ストッパー
１６：変形幅
１７：曲げ角度
１８：ネクタイ吊り具上端
２０：係合部
２１：下端横幅
２２：ネクタイ上端
３１：軸受け（ネクタイ位置調整軸支持体）
３２：軸穴（ネクタイ位置調整軸挿通孔）
３３ａ：軸穴横幅
３３ｂ：軸穴横幅
３３ｃ：軸穴横幅
３３ｄ：軸穴横幅
３４：軸穴厚み幅
３５ａ：被係合部
３５ｂ：被係合部
３６ａ：穴壁
３６ｂ：穴壁
３７：下部ガイド部
３８：通し穴
３９：締付けピン
４０：ストッパー
５０：シャツ
５１：襟
５２：襟首上端
【図１】
2007070794.tif 000003
【図２】
2007070794.tif 000004
【図３】
2007070794.tif 000005
【図４】
2007070794.tif 000006
【図５】
2007070794.tif 000007
【図６】
2007070794.tif 000008
【図７】
2007070794.tif 000009
【図８】
2007070794.tif 000010
【図９】
2007070794.tif 000011
【図１０】
2007070794.tif 000012
【図１１】
2007070794.tif 000013
【図１２】
2007070794.tif 000014